(57)【特許請求の範囲】
【請求項１】
属性情報を格納する光インタフェースモジュールが着脱可能に設けられ、
前記光インタフェースモジュールによる送受信信号を用いてサービスを実現するサービス実現手段を複数備えると共に、
前記複数のサービス実現手段の内、前記属性情報に対応するサービスを実現するサービス実現手段に対して電源供給を行う電源制御手段を備えることを特徴とする光伝送装置。
【請求項２】
前記属性情報に基づいて、該属性情報に対応するサービスを示すサービス種別情報を出力する種別情報変換手段を備え、
前記電源制御手段は、前記種別情報変換手段からのサービス種別情報に基づいて前記各サービス実現手段に対して電源供給を行うことを特徴とする請求項１記載の光伝送装置。
【請求項３】
前記サービス実現手段は、当該サービス実現手段が実現するサービスに対応するＭＡＣ（Media Access Control）部、ＵＮＩ（User-Network Interface）セレクタ部、およびＵＮＩ部を備えて構成されたことを特徴とする請求項１または２記載の光伝送装置。
【請求項４】
前記ＭＡＣ部は、上りＭＡＣ部および下りＭＡＣ部を備えて構成されたことを特徴とする請求項３記載の光伝送装置。
【請求項５】
前記ＭＡＣ部および前記ＵＮＩセレクタ部の回路情報を格納したメモリ部と、
前記メモリ部の回路情報に基づいて回路を展開するＦＰＧＡとを備え、
前記ＭＡＣ部および前記ＵＮＩセレクタ部は、前記ＦＰＧＡを用いて構成されることを特徴とする請求項３又は４に記載の光伝送装置。
【請求項６】
請求項１から５の何れか１項に記載の光伝送装置の複数が光伝送路を介して局側光網終端装置に接続されて構成されたことを特徴とする光伝送システム。
【請求項７】
着脱可能な光インタフェースモジュールによる送受信信号を用いてサービスを実現するサービス実現手段を複数備えた光伝送装置の装置制御方法であって、
前記光インタフェースモジュールから前記光伝送装置が該光インタフェースモジュールの属性情報を受信する受信工程と、
前記複数のサービス実現手段の内、前記受信工程により受信された属性情報に対応するサービスを実現するサービス実現手段に対して電源制御手段が電源供給を行う電源制御工程と、を備えたことを特徴とする装置制御方法。
【請求項８】
前記受信工程により受信された属性情報を、当該属性情報に対応するサービスを示すサービス種別情報に変換して出力する種別情報変換工程を、前記受信工程および前記電源制御工程の間に備え、
前記電源制御工程では、前記サービス種別情報に基づいて前記各サービス実現手段に対して電源供給を行うことを特徴とする請求項７記載の装置制御方法。
【請求項９】
前記サービス実現手段は、当該サービス実現手段が実現するサービスに対応するＭＡＣ（Media Access Control）部、ＵＮＩ（User-Network Interface）セレクタ部、およびＵＮＩ部を備えて構成されたことを特徴とする請求項７または８記載の装置制御方法。
【請求項１０】
前記ＭＡＣ部は、上りＭＡＣ部および下りＭＡＣ部を備えて構成されたことを特徴とする請求項９記載の装置制御方法。
【請求項１１】
前記光伝送装置は、
前記ＭＡＣ部およびＵＮＩセレクタ部の回路情報を格納したメモリ部と、
前記メモリ部の回路情報に基づいて回路を展開するＦＰＧＡとを備え、
前記電源制御工程では、前記受信工程により受信された属性情報に対応するサービスを実現する前記ＭＡＣ部および前記ＵＮＩセレクタ部が前記ＦＰＧＡを用いて構成されることを特徴とする請求項９又は１０に記載の装置制御方法。
【請求項１２】
着脱可能な光インタフェースモジュールによる送受信信号を用いてサービスを実現するサービス実現手段を複数備えた光伝送装置のプログラムであって、
前記光インタフェースモジュールから前記光伝送装置が該光インタフェースモジュールの属性情報を受信する受信処理と、
前記複数のサービス実現手段の内、前記受信処理により受信された属性情報に対応するサービスを実現するサービス実現手段に対して電源制御手段が電源供給を行う電源制御処理と、を前記光伝送装置のコンピュータに実行させることを特徴とする光伝送装置のプログラム。
【請求項１３】
前記受信処理により受信された属性情報を、当該属性情報に対応するサービスを示すサービス種別情報に変換して出力する種別情報変換処理を、前記受信処理および前記電源制御処理の間に前記コンピュータに実行させ、
前記電源制御処理では、前記サービス種別情報に基づいて前記各サービス実現手段に対して電源供給を行うことを特徴とする請求項１２記載の光伝送装置のプログラム。
【請求項１４】
前記サービス実現手段は、当該サービス実現手段が実現するサービスに対応するＭＡＣ（Media Access Control）部、ＵＮＩ（User-Network Interface）セレクタ部、およびＵＮＩ部を備えて構成されたことを特徴とする請求項１２又は１３に記載の光伝送装置のプログラム。
【請求項１５】
前記ＭＡＣ部は、上りＭＡＣ部および下りＭＡＣ部を備えて構成されたことを特徴とする請求項１４に記載の光伝送装置のプログラム。
【請求項１６】
前記光伝送装置は、
前記ＭＡＣ部およびＵＮＩセレクタ部の回路情報を格納したメモリ部と、
前記メモリ部の回路情報に基づいて回路を展開するＦＰＧＡとを備え、
前記電源制御処理では、前記受信処理により受信された属性情報に対応するサービスを実現する前記ＭＡＣ部および前記ＵＮＩセレクタ部が前記ＦＰＧＡを用いて構成されることを特徴とする請求項１４または１５記載の光伝送装置のプログラム。
【発明の詳細な説明】
【技術分野】
【０００１】
本発明は、例えばＰＯＮ（Passive Optical Network）に用いられるＯＮＵ（Optical Network Unit；加入者側光網終端装置）など、光インタフェースモジュールを用いて光通信を行う光伝送装置、光伝送システム、装置制御方法、および装置のプログラムに関する。
【背景技術】
【０００２】
一般的なデュアルレート対応ＯＮＵの装置構成について、図９を参照して説明する。
図９に示すような一般的なデュアルレート対応ＯＮＵは、光伝送路に対して光信号の送受信を行う光モジュール部５０１を備え、この光モジュール部５０１が、同波長で２種類の異なるビットレートの光信号５０２を受信できる受信器（Ｒｘ）５０３と、送信機（Ｔｘ）５０４とを備える。このことにより、図９に示す構成例では、同波長の光信号を用いて１Gbpsと２Gbpsのデュアルレートでの受信に対応できるようになっている。
【０００３】
また、本発明の関連技術として、ＰＯＮの加入者接続装置における受信パケットを、多重分離部により、複数個のＰＯＮ終端回路と複数個のＵＮＩに振り分けるようにすることで、ＵＮＩ回線当たりの装置コストを低減するようにしたものがある（例えば、特許文献１参照）。
【特許文献１】特開２００４−１０４３７６号公報
【発明の開示】
【発明が解決しようとする課題】
【０００４】
しかしながら、上述した一般的なデュアルレート対応ＯＮＵ装置では、次のような課題があった。
第１の課題は、光モジュールは受信側に関し、同じ波長帯を前提とした異種ビットレートをサポートする受信器５０３の構成であるため、波長が異なる光信号（下り側）を適用した別のサービス形態への対応ができないということである。
【０００５】
第２の課題は、光モジュールは送信側に関し、同じ波長帯の同ビットレートのみをサポートする送信器５０４の構成であるため、波長およびビットレートが異なる光信号（上り側）を適用した別のサービス形態への対応ができないということである。
【０００６】
このように、異なる波長帯の光信号に対応できないため、加入者宅でサービス種別の形態を変更するには、ＯＮＵごと取り換えなければならず、取り外されたＯＮＵは廃棄することとなっていた。そのため、ＯＮＵのリサイクル化などの課題があった。
【０００７】
また、上述した特許文献１のものは、複数個のＰＯＮ終端回路と複数個のＵＮＩにより光網インタフェースを共有することで装置コストを低減しようとするものであり、着脱可能な光インタフェースモジュールを用いて光波長が異なるサービス種別の変更にも対応できるようにすることについてまで考慮されたものではなかった。
【０００８】
本発明はこのような状況に鑑みてなされたものであり、着脱可能な光インタフェースモジュールを用いて、光波長が異なるサービス種別への変更にも対応することができる光伝送装置、光伝送システム、装置制御方法、および装置のプログラムを提供することを目的とする。
【課題を解決するための手段】
【０００９】
かかる目的を達成するために、本発明に係る光伝送装置は、属性情報を格納する光インタフェースモジュールが着脱可能に設けられ、上記光インタフェースモジュールによる送受信信号を用いてサービスを実現するサービス実現手段を複数備えると共に、上記複数のサービス実現手段の内、上記属性情報に対応するサービスを実現するサービス実現手段を動作させる動作選択手段を備えたことを特徴とする。
【００１０】
また、本発明に係る光伝送システムは、上述した本発明に係る光伝送装置の複数が光伝送路を介して局側光網終端装置に接続されて構成されたことを特徴とする。
【００１１】
また、本発明に係る装置制御方法は、着脱可能な光インタフェースモジュールによる送受信信号を用いてサービスを実現するサービス実現手段を複数備えた光伝送装置の装置制御方法であって、上記光インタフェースモジュールから上記光伝送装置が該光インタフェースモジュールの属性情報を受信する受信工程と、上記複数のサービス実現手段の内、上記受信工程により受信された属性情報に対応するサービスを実現するサービス実現手段を動作させる動作選択工程と、を備えたことを特徴とする。
【００１２】
また、本発明に係る光伝送装置のプログラムは、着脱可能な光インタフェースモジュールによる送受信信号を用いてサービスを実現するサービス実現手段を複数備えた光伝送装置のプログラムであって、上記光インタフェースモジュールから上記光伝送装置が該光インタフェースモジュールの属性情報を受信する受信処理と、上記複数のサービス実現手段の内、上記受信処理により受信された属性情報に対応するサービスを実現するサービス実現手段を動作させる動作選択処理と、を上記光伝送装置のコンピュータに実行させることを特徴とする。
【発明の効果】
【００１３】
以上のように、本発明によれば、着脱可能な光インタフェースモジュールにより、光波長が異なるサービス種別への変更にも柔軟に対応することができる。
【発明を実施するための最良の形態】
【００１４】
次に、本発明に係る光伝送装置、光伝送システム、装置制御方法、および装置のプログラムをＧＥ−ＰＯＮシステムに適用した一実施形態について、図面を用いて詳細に説明する。
【００１５】
まず、本実施形態の概略について説明する。
本実施形態の光伝送装置は、図１に示すように、属性情報を格納する光インタフェースモジュールが着脱可能に設けられ、その光インタフェースモジュールによる送受信信号を用いてサービスを実現するサービス実現手段が複数設けられている。
そして、これら複数のサービス実現手段に対しては、動作選択手段が、装着されている光インタフェースモジュールの属性情報に対応するサービスを実現するサービス実現手段のみを動作させるように制御する。
【００１６】
このため、予め想定されるサービスに対応するサービス実現手段を各サービスに対して備えた構成でありながら、装着されている光インタフェースモジュールの属性情報に応じて動作するサービス実現手段を切り替えることができる。このように、本実施形態は、装着されている光インタフェースモジュールに応じたサービス用として動作させることができるマルチモード対応ＯＮＵを提供する。
【００１７】
より詳細には、本実施形態は、ＧＥ−ＰＯＮシステムに用いられる加入者側に設置するＯＮＵについて、ＸＦＰ化した光モジュール部を交換することで、柔軟にサービス種別の形態を変更することができることを特徴としている。
なお、ＸＦＰは、「ＸＦＰモジュール・グループ」により仕様を策定された１０ＧｂＥ（１０ギガビット・イーサネット（登録商標））の着脱モジュールについての業界標準規格の１つであり、10 Gigabit Small Form Factor Pluggableの呼称である。
【００１８】
このため、本実施形態では、以下の特徴を有する。
第一に、局側光網終端装置（ＯＬＴ；Optical Line Termination）と通信する光モジュール部をＸＦＰ化とする。
第二に、サービス種別毎に、対応するＭＡＣ（Media Access Control）部、ＵＮＩ（User-Network Interface）部、およびＵＮＩ  ＳＥＬ（セレクタ）部をそれぞれ実装する。
【００１９】
第三に、上述したＸＦＰ光モジュール部から通知されたマネージメントインターフェースより、実装されている光モジュールの種別情報（属性情報）をもとに対応するサービス種別をＣＴＲＬ（control）部が判読し、上述したサービス種別毎のＭＡＣ部などの内、サービス種別に対応するＭＡＣ部、ＵＮＩ  ＳＥＬ部およびＵＮＩ部のみの電源を、電源制御部（動作選択手段）がＯＮにする。
【００２０】
次に、本実施形態としてのＯＮＵの構成について、図２を参照して説明する。
図２に示すように、本実施形態としてのＯＮＵは、ＭＡＣ部１０７、ＵＮＩ  ＳＥＬ部１０８およびＵＮＩ部１０９といったサービス実現手段を、対応しうるサービスの種類毎、すなわち図２の例では、下り１０Ｇ／上り１０Ｇ、下り１０Ｇ／上り１Ｇ、下り２Ｇ／上り１Ｇ、下り１Ｇ／上り１Ｇのそれぞれについて備えている。
【００２１】
また、ＸＦＰ光モジュール部１０１は、光モジュール種別情報格納部１０３に格納された光モジュール種別情報（属性情報）を、不図示のマネージメントインタフェースを介してＣＴＲＬ部１０４に通知する。
ＣＴＲＬ部（種別情報変換手段）１０４は、受信した光モジュール種別情報に基づいて対応するサービス種別形態を判読し、サービス種別情報１０５を電源制御部１０６へ通知する。
【００２２】
ＣＴＲＬ部１０４は、ＧＥ−ＰＯＮシステムの場合、受信した光モジュール種別情報の内、上下の速度情報のみを用いて対応するサービス種別を判定する。サービス種別と、速度情報の組み合わせとの変換対応表を図３に示す。サービス未適用な組み合わせの場合、ＣＴＲＬ部１０４は該当サービス無しと判断する。
【００２３】
電源制御部１０６は、サービス種別情報１０５を受信すると、サービス種別に対応するＭＡＣ部１０７、ＵＮＩ  ＳＥＬ部１０８およびＵＮＩ部１０９のみに電源を供給する。
【００２４】
このように、電源制御部１０６は、ＣＴＲＬ部１０４で生成されたサービス種別情報をもとに、該当するＭＡＣ部１０７、ＵＮＩ  ＳＥＬ部１０８およびＵＮＩ部１０９のみに電源供給を行う。このサービス種別情報と該当するＭＡＣ部との組み合わせ対応表を図４に示す。ＵＮＩ  ＳＥＬ部１０８およびＵＮＩ部１０９への電源供給に関しても、ＭＡＣ部への電源供給と同様の対応であり、該当するサービスを実現する部分への電源供給となる。該当無しの場合、電源制御部１０６は、ＭＡＣ部１０７、ＵＮＩ  ＳＥＬ部１０８およびＵＮＩ部１０９の何れに対しても電源供給を一切行わないこととなる。
【００２５】
以上のように、本実施形態では、ＸＦＰ光モジュール部に格納された光モジュール種別情報を制御のために用いて、ＸＦＰ光モジュール部のマネージメントインタフェースより通知される光モジュール種別情報をもとに、ＣＴＲＬ部が対応するサービス種別形態を判読する。そのサービス種別情報を用いて、電源制御部１０６が各サービス種別に対応したサービス実現手段（ここではＭＡＣ部、ＵＮＩ  ＳＥＬ部およびＵＮＩ部）のみに電源供給を行い、動作させる。このため、本実施形態では、光モジュールの交換のみで自動的にサービス種別の形態の変更を行うことができる。
【００２６】
次に、本実施形態としてのＯＮＵについて、光モジュール装着部に下り１０Ｇ／上り１０Ｇ対応用ＸＦＰ光モジュール２０１が装着された場合を例として説明する。
図５に示すように、本実施形態としてのＯＮＵは、光モジュール装着部に下り１０Ｇ／上り１０Ｇ対応用ＸＦＰ光モジュール２０１が装着されると、その光モジュール種別情報格納部２０３に格納された光モジュール種別情報（下り１０Ｇ／上り１０Ｇ用）を基に自動的にサービス種別（下り１０Ｇ／上り１０Ｇ）に対応した機能形態となる。
【００２７】
ＸＦＰ光モジュール部２０１は、光モジュール種別情報格納部２０３を備える。このことにより、光モジュール装着部に装着されたＸＦＰ光モジュール部２０１は、下り１０Ｇ／上り１０Ｇ用の光モジュール種別情報をＣＴＲＬ部２０４に通知する。
【００２８】
ＣＴＲＬ部２０４は、受信した光モジュール種別情報に基づいて、対応するサービス種別形態が下り１０Ｇ／上り１０Ｇサービスであることを判読し、サービス種別情報２０５を電源制御部２０６へ通知する。
【００２９】
電源制御部２０６は、下り１０Ｇ／上り１０Ｇサービスのサービス種別に対応するＭＡＣ部２０７へ電源２１２を、同様にＵＮＩ  ＳＥＬ部２０８へ電源２１１を、ＵＮＩ部２０９へ電源２１０を、それぞれ供給する。
【００３０】
以上詳細に本実施形態の構成を述べたが、図５のＸＦＰ光モジュール２０１については、当業者にとってよく知られており、また本発明の要部とは直接関係しないので、その詳細な説明は省略する。
【００３１】
次に、図５に示す構成例におけるサービス種別形態変更の動作について、図６のシーケンス図を参照して説明する。
【００３２】
ＸＦＰ光モジュール２０１から光モジュール種別情報がＣＴＲＬ部２０４に送信されると（ステップＳ１）、ＣＴＲＬ部２０４は、受信した光モジュール種別情報に基づいてサービス種別形態を判読し、サービス種別情報２０５を生成して電源制御部２０６へ送信する（ステップＳ２）。
【００３３】
電源制御部２０６は、受信したサービス種別情報２０５をもとに、該当するＭＡＣ部２０７へ電源２１２を（ステップＳ３）、同様にＵＮＩ  ＳＥＬ部２０８へ電源２１１を（ステップＳ４）、ＵＮＩ部２０９へ電源２１０を（ステップＳ５）、それぞれ供給する。
このため、ＸＦＰ光モジュール２０１のサービス種別形態に該当するＭＡＣ部２０７、ＵＮＩ  ＳＥＬ部２０８、およびＵＮＩ部２０９のみ動作することができるようになり、本実施形態のＯＮＵは、これらのサービス実現手段により下り１０Ｇ／上り１０Ｇの通信を行うＯＮＵとして機能するようになる（ステップＳ６）。
【００３４】
以上説明したように、上述した実施形態によれば、以下のような効果を奏する。
第１の効果は、ＸＦＰ光モジュールの交換でサービス種別形態への変更を可能としているので、ＯＮＵ装置本体を廃棄せずに継続して使用できることである。
【００３５】
第２の効果は、ＸＦＰ光モジュールの種別情報を元に対応するＭＡＣ部、ＵＮＩ  ＳＥＬ部およびＵＮＩ部を選択しているので、自動でサービス種別形態の変更ができることである。
【００３６】
第３の効果は、該当するＭＡＣ部、ＵＮＩ  ＳＥＬ部及びＵＮＩ部のブロック選択を電源供給で行っているので、不要機能ブロックの電源をカットし、消費電力を低減することができることである。
【００３７】
このように、上述した実施形態によれば、着脱可能な光インタフェースモジュールを用いて、光波長が異なるサービス形態の変更にも対応したマルチモード対応ＯＮＵを提供することができる。
【００３８】
また、上述したＯＮＵの複数が光伝送路を介してＯＬＴに接続されて構成されたＧＥ−ＰＯＮによれば、光波長が異なるサービス形態の変更にも柔軟に対応でき、リサイクル性にも優れた光伝送システムを提供することができる。
【００３９】
〔他の実施形態〕
次に、本発明の他の実施形態について説明する。
この他の実施形態は、基本的構成は上述した実施形態と同様であるが、ＭＡＣ部についてさらに工夫したものである。構成例を図７に示す。本図７に示すように、他の実施形態としてのＯＮＵでは、ＭＡＣ部が下り用制御４０８と上り用制御４０７とに分離された構成となっている。
【００４０】
ＸＦＰ光モジュール４０１の光モジュール種別情報格納部４０３からＣＴＲＬ部４０４が光モジュール種別情報を受信すると、ＣＴＲＬ部４０４は、受信した光モジュール種別情報を元にサービス種別形態を判別し、電源制御部４０６へ適用するサービス種別情報４０５を通知する。
【００４１】
電源制御部４０６は、受信したサービス種別情報４０５に基づいて、適用するサービス種別形態に対応する下り用ＭＡＣ部４０８および上り用ＭＡＣ部４０７のみに対して電源供給を行う。同様に、適用するサービス種別に対応するＵＮＩ  ＳＥＬ４０９およびＵＮＩ部４１０のみに電源供給を行う。
【００４２】
このように、他の実施形態では、ＭＡＣ部を下り用制御と上り用制御に分離しているので、ＭＡＣ部とＸＦＰ光モジュール間の主信号通信において、プリント板上のバス配線数を極力削減することができ、その結果主信号への雑音印加要因（不要パターンによるアンテナ効果）を低減することができる。このため、他の実施形態によれば、上述した実施形態により得られる効果と同様の効果が得られると共に、主信号の特性改善という効果が得られる。
【００４３】
〔各実施形態について〕
なお、上述した各実施形態は本発明の好適な実施形態であり、本発明はこれに限定されることなく、本発明の技術的思想に基づいて種々変形して実施することが可能である。
【００４４】
例えば、上述した実施形態におけるＵＮＩ  ＳＥＬ部およびＭＡＣ部を、図８の例のようにＦＰＧＡ（Field Programmable Gate Array）で構成しても、本発明は同様に適用することができる。この場合、各サービス形態に応じた専用ＦＰＧＡ回路情報をＯＮＵのメモリ（ＭＥＭ）部に収容し、該当するＦＰＧＡ回路情報のダウンロード制御をＣＴＲＬ部にて行う。このことにより、ＦＰＧＡには該当回路のみ展開することとなる。図８は、下り１０Ｇ／上り１０Ｇサービスを提供する場合の構成例を示す図である。
このように、上述したサービス実現手段をＦＰＧＡを用いて構成し、電源制御部を用いることなく、ＦＰＧＡに展開する回路により動作選択を行う構成であっても本発明は同様に適用することができる。
【００４５】
また、上述した各実施形態では、光モジュールからの信号を用いてサービスを実現するサービス実現手段として各サービス毎に設けられたＭＡＣ部、ＵＮＩ  ＳＥＬ部およびＵＮＩ部の内、動作させるものを選択する動作選択手段が電源制御部であることとして説明したが、動作選択することができればこのものに限定されず、例えば、電源供給方式の代わりにイネーブル制御信号を用いてイネーブル／ディセーブル制御としても本発明は同様に適用することができる。この場合、ＣＴＲＬ部からのイネーブル制御信号によるイネーブル／ディセーブル制御により、動作するＭＡＣ部、ＵＮＩ  ＳＥＬ部およびＵＮＩ部が選択制御されることとなる。
【００４６】
また、上述した実施形態では、ＸＦＰ化した光モジュール部を用いることとして説明したが、着脱可能な光インタフェースモジュールであればこのものに限定されず、各種の光インタフェースモジュールを用いても本発明は同様に適用可能である。
この場合、その着脱可能な光インタフェースモジュールが、例えば波長、伝送速度、ベンダ名といった光モジュールの属性に関する情報（光モジュール種別情報）をＲＯＭ等の光モジュール種別情報格納部に格納し、ＣＴＲＬ部から読み取り可能とする構成となる。
【００４７】
また、上述した実施形態では、ＧＥ−ＰＯＮに用いられるＯＮＵとして説明したが、このものに限定されず、各種のＰＯＮにも本発明は同様に適用可能である。
さらに、光インタフェースモジュールの属性に基づいてサービスが決定されるものであれば、上述したものに限定されず、各種の光伝送装置や光伝送システムにも本発明は同様に適用可能である。
【００４８】
また、上述した各実施形態としての光伝送装置を実現するための処理手順をプログラムとして記録媒体に記録することにより、本発明の各実施形態による上述した各機能を、その記録媒体から供給されるプログラムによって、システムを構成するコンピュータのＣＰＵに処理を行わせて実現させることができる。
この場合、上記の記録媒体により、あるいはネットワークを介して外部の記録媒体から、プログラムを含む情報群を出力装置に供給される場合でも本発明は適用されるものである。
すなわち、記録媒体から読み出されたプログラムコード自体が本発明の新規な機能を実現することになり、そのプログラムコードを記憶した記録媒体および該記録媒体から読み出された信号は本発明を構成することになる。
この記録媒体としては、例えばフレキシブルディスク、ハードディスク、光ディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリーカード、ＲＯＭ等を用いてよい。
【００４９】
この本発明に係るプログラムによれば、当該プログラムによって制御されるＯＮＵなどの光伝送装置に、上述した各実施形態における各機能を実現させることができる。
【図面の簡単な説明】
【００５０】
【図１】本発明の実施形態の概略を示す図である。
【図２】本発明の実施形態としてのＯＮＵの構成例を示すブロック図である。
【図３】ＣＴＲＬ部によるサービス種別と速度情報の組み合わせとの変換対応を示す図である。
【図４】電源制御部によるサービス種別情報とＭＡＣ部との組み合わせ対応を示す図である。
【図５】下り１０Ｇ／上り１０Ｇ対応用光モジュールが装着された場合のＯＮＵ構成例を示すブロック図である。
【図６】本実施形態におけるサービス種別形態変更の動作を示すシーケンス図である。
【図７】本発明の他の実施形態としてのＯＮＵの構成例を示すブロック図である。
【図８】ＦＰＧＡを用いた場合のＯＮＵの構成例を示すブロック図である。
【図９】一般的なデュアルレート対応ＯＮＵの装置構成を示す図である。
【符号の説明】
【００５１】
１０１、２０１、４０１    ＸＦＰ光モジュール（光インタフェースモジュールの一例）
１０３、２０３、４０３    光モジュール種別情報格納部（属性情報格納手段の一例）
１０４、２０４、４０４    ＣＴＲＬ部（種別情報変換手段の一例）
１０６、２０６、４０６    電源制御部（動作選択手段の一例）
１０７、２０７    ＭＡＣ部
４０７    上りＭＡＣ部
４０８    下りＭＡＣ部
１０８、２０８、４０９    ＵＮＩ  ＳＥＬ部
１０９、２０９、４１０    ＵＮＩ
【図１】
0005136132.tif 000002
【図２】
0005136132.tif 000003
【図３】
0005136132.tif 000004
【図４】
0005136132.tif 000005
【図５】
0005136132.tif 000006
【図６】
0005136132.tif 000007
【図７】
0005136132.tif 000008
【図８】
0005136132.tif 000009
【図９】
0005136132.tif 000010